(57)【要約】      （修正有）【課題】ノック式に筆記部の出没操作を行うボールペンやシャープペンシルといった筆記具において、ノック操作による動作を利用した付属部材の可動変化を従来にない方式で実現する。【解決手段】筆記軸２横のノック操作部４によって筆記部３の出没操作を行うサイドノック式のボールペンやシャープペンシルといった筆記具１において、筆記軸２上端に取付けた開口構造とされた中空の球形収容具５内に少なくとも一端を固定された部材６が収容されており、ノック操作による上下動を動作伝達構造８によって収容部材６に伝えることで、該収容部材６が球形収容具５の開口構造９が開口して収容部材６が球形収容具５の外に垂下がり、また、収容される連続動作を行う。【選択図】図１
0003109816.tif 000002
【実用新案登録請求の範囲】
【請求項１】
筆記軸横のノック操作部によって筆記部の出没操作を行うサイドノック式のボールペンやシャープペンシルといった筆記具において、筆記軸上端に取付けた開口構造とされた中空の立体収容具内に少なくとも一端を固定された部材が収容されており、ノック操作による上下動を動作伝達構造によって収容部材に伝えることで、該収容部材が立体収容具の開口構造が開口して収容部材が立体収容具の外に垂下がり、また、収容される連続動作を行うことを特徴とするノック操作によって収容部材が出入りする筆記具。
【請求項２】
立体収容部の形状がキャラクターの球形頭部形状を模したものであり、収容部材がキャラクターの胴体及び手足形状を模したものであることを特徴とする請求項１に記載のノック操作によって収容部材が出入りする筆記具。
【請求項３】
立体収容部の少なくとも一部を透明素材によって形成し、内部構造が観察できるものとされていることを特徴とする請求項１または請求項２に記載のノック操作によって収容部材が出入りする筆記具。
【考案の詳細な説明】
【技術分野】
【０００１】
本考案は、ノック式に筆記部の出没操作を行うボールペンやシャープペンシルといった筆記具において、ノック操作による動作を利用した付属部材の可動変化を従来にない方式で実現する新たな提案を行うものである。
【背景技術】
【０００２】
ボールペンやシャープペンシルの筆記部をノック操作によって出没操作することは常識的に行われているところであり、該操作のよる動作を利用して筆記軸上端などに取付けたキャラクター部材の一部を可動変化させようといった試みも広く行われている。
【０００３】
すなわち、筆記具としての装飾性を向上し趣味性に応えるといった配慮から筆記軸の上端部などに各種人気のキャラクター部材などを取付けることが行われており、キャラクターの手足などを可動部とすることも行われている。
【０００４】
特に、ノック操作部を筆記軸横に設けたサイドノック式の筆記具ではこのような構成が取り易く、ノック操作部に対する上下操作による動作を利用して可動部を可動変化させるようなことも行われているのである。
【０００５】
このような構造を持った先行技術として代表的なものは以下の文献に示すごとくである。
【特許文献１】登録実用新案第３０９８９５４号公報
【考案の開示】
【考案が解決しようとする課題】
【０００６】
上記したような既存技術では、確かにノック動作に付随して付属のキャラクター部材などに可動変化を与える提案がなされているが、その可動手法に斬新さを持ったものは少なく、需要者の興味を惹く提案をすることは難しくなってきている。
【課題を解決するための手段】
【０００７】
本考案は、筆記具のノック操作を利用して付属キャラクター等にユニークな可動変化を与えることについて研究を重ねて創案されたものであり、既存製品には見られない独特の動作を実現することに成功したものであって、具体的には以下のごとくである。
【０００８】
（１）筆記軸横のノック操作部によって筆記部の出没操作を行うサイドノック式のボールペンやシャープペンシルといった筆記具において、筆記軸上端に取付けた開口構造とされた中空の立体収容具内に少なくとも一端を固定された部材が収容されており、ノック操作による上下動を動作伝達構造によって収容部材に伝えることで、該収容部材が立体収容具の開口構造が開口して収容部材が立体収容具の外に垂下がり、また、収容される連続動作を行うことを特徴とするノック操作によって収容部材が出入りする筆記具。
【０００９】
（２）立体収容部の形状がキャラクターの球形頭部形状を模したものであり、収容部材がキャラクターの胴体及び手足形状を模したものであることを特徴とする前記（１）項に記載のノック操作によって収容部材が出入りする筆記具。
【００１０】
（３）立体収容部の少なくとも一部を透明素材によって形成し、内部構造が観察できるものとされていることを特徴とする前記（１）項または（２）項に記載のノック操作によって収容部材が出入りする筆記具。
【実施例】
【００１１】
上記したような本考案について、その代表的な実施の形態を添付する図面を利用して説明すると以下のとおりである。
すなわち、図１は本考案による筆記具１の１例についての外観および内部構造を示す説明図である。
【００１２】
ここでの筆記具１はその筆記軸２の側面に筆記部３を出没操作するためのノック操作部４を備えた所謂サイドノック式のボールペンである。ノック操作部４を下方へ移動すると筆記部３が突出し、上方へ移動すると筆記部３が収容される構造となっている。
【００１３】
筆記軸２の上端にはキャラクターの球形頭部形状を模した立体収容部５が取付けられている。この立体収容部５は内部が中空上構造とされており、所定の形状・サイズに規制された収容部材６を収容することができるようになっている。
【００１４】
この立体収容部５の少なくとも一部を透明なプラスチック素材などによって形成することで、立体収容部５内の構造を外部から観察することができるようになり、独特な可動変化と共に需要者の興味を惹くデザイン設計とすることが可能となる。また、その外観形状としては多用なものを採用することが可能である。
【００１５】
収容部材６は少なくともその一端が立体収容部５の内側に接続された固定構造７を採るものとされており、したがって、立体収容部５の外部に完全に取り出されることはないものとなっている。また、筆記軸２内から立体収容部５内に至る動作伝達構造８によってノック操作に起因する上下動さは収容部材６に伝達される構造とされている。
【００１６】
図１は、収容部材６が立体収容部５内に完全に収容された状態の外観および内部構造を示したものであり、この状態では筆記軸２の上端にキャラクターの球形頭部形状の外観とされた立体収容部５が観察されるのみである。
【００１７】
図２は、ノック操作部４を下方に操作することで動力伝達構造８を介して下方への動作が収容部材６に伝達され、それによって立体収容部５の開口構造９が開き始めてキャラクターの胴体形状を模した収容部材６が外部に出てくる状況を示した説明図である。
【００１８】
図示の場合、開口構造９は蝶番１０によって開閉する機構となっており、収容されている収容部材６が内側から押すことで開口し、また逆に外側に吊り下がった収容部材６が持ち上がって押す場合にも開口して再び立体収容部５内に収容されるようになっているものである。
【００１９】
この開口構造９は、収容部材６の出し入れに応じて適宜に開閉するようになっていれば良いので、図示のような蝶番１０を利用したものに限らず公知の手法を任意に利用することが可能である。
【００２０】
図３は、ノック操作部４を下端部にまで移動することでキャラクターの胴体形状とした収容部材６が完全に球形収容部５の下側に吊り下がった状態を示した図面である。
このような状態となることで、キャラクターの球形頭部形状とした立体収容部５とキャラクター胴体形状とした収容部材６とが一体化してキャラクター形状のアクセサリーとして筆記具１の筆記軸２上端に取り付けられた様子を実現することになるものである。
【００２１】
このようにキャラクター頭部形状の下に位置された胴体形状の収容部材６は吊り下げ状態となっているだけであり、筆記軸２などを揺らすとユラユラと動くことができるものである。また、手足形状を模した部材について個別に可動変化をするものとしても良い。
【００２２】
また、上記したようにこの図３の状態からノック操作部４を上方へ移動すると吊り下げられた収容部材６は開口構造９を押し開けて再び立体収容部５内に適切に収容されるものである。
【００２３】
本考案において採用されるキャラクター形状に関しては、上記してきたような技術内容が実現できるものであれば何でも採用可能であり、図示に示した形状に限定されるものでないことは明白である。
【００２４】
以上説明したように本考案によるときは、立体収容部５に収容した収容部材６をノック操作に起因して吊り下げ状態で取り出したり、再び収容するといった従来にない可動変化を実現するもので、需要者の興味を惹く新たな可動変化の可能性を提示するものであるから、産業上の利用可能性において優れた考案であると理解されるべきである。
【図面の簡単な説明】
【００２５】
【図１】本考案による筆記具１の１例についての外観および内部構造を示す説明図である。
【図２】ノック操作による可動変化の中間状況を示した説明図である。
【図３】ノック操作によって収容部を吊り下げ状態として取り出した状態を示す説明図である。
【符号の説明】
【００２６】
１    筆記具
２    筆記軸
３    筆記部
４    ノック操作部
５    立体収容部
６    収容部材
７    固定構造
８    動作伝達構造
９    開口構造
１０    蝶番
【図１】
0003109816.tif 000003
【図２】
0003109816.tif 000004
【図３】
0003109816.tif 000005